(57)【要約】【課題】ケーソン等のコンクリート構造物の製作に使用する型枠の上部に容易且つ効率的に設置可能な安全具取付用支柱の提供。【解決手段】安全具取付用支柱１は、型枠２に支持された角筒状の支持基部６と、支持基部６内にスライド可能に挿入された支柱本体７とを備え、支柱本体７を軸回りに回転させることにより、ロックピン９，９が係合凹部８，８と係合する位置と、係合しない位置とで切り替わるようにし、型枠２に対し伸縮できるようにした。【選択図】図２
2018025000.tif 000002
【特許請求の範囲】
【請求項１】
コンクリート構造物の構築に使用する型枠の上部に設置される安全具取付用支柱において、
前記型枠に支持された角筒状の支持基部と、該支持基部内にスライド可能に挿入された支柱本体とを備え、
前記支持基部は、互いに平行な側板の上端縁に一対の係合凹部を備え、
前記支柱本体は、上端部外周に突設された安全具連結部材と、該安全具連結部材より下方の外周に突設されたロックピンとを備え、
該ロックピンは、前記安全具連結部材と交差する方向に突出し、
前記支柱本体を軸回りに回転させることにより、前記ロックピンが前記係合凹部と係合する位置と、係合しない位置とで切り替わるようにし、且つ、前記ロックピンが前記係合しない位置に切り替えられた際、前記安全具連結部材が前記支持基部の上縁部に係合するようにしたことを特徴とする安全具取付用支柱。
【請求項２】
前記安全具連結部材は、親綱の端部が連結可能なフック状又はリング状に形成されている請求項１に記載の安全具取付用支柱。
【請求項３】
前記支持基部は、前記型枠を構成する型枠板を支持する型枠支柱である請求項１又は２に記載の安全具取付用支柱。
【発明の詳細な説明】
【技術分野】
【０００１】
本発明は、主にケーソン等のコンクリート構造物の製作に使用される内型枠の上部に設置され、親綱等の安全具を取り付けるための安全具取付用支柱に関する。
【背景技術】
【０００２】
従来のケーソンの製作では、外型枠内に桝状の内型枠を設置し、外型枠と内型枠との間、或いは、内型枠間に鉄筋を配設してコンクリートを打設する作業を下層より順次繰り返し、段階的に所望の高さまでコンクリートを打設する工法が広く用いられている。
【０００３】
その際、内型枠は、各段のコンクリートを打設する毎に地上で組み上げた後、クレーン等で吊り上げて設置するようになっている。
【０００４】
一方、内型枠の上端位置は、下層に打設されたコンクリート上面から２〜３メートル高い位置にあり、また、ケーソンの製作が進むにつれ、設置される内型枠上端の地上からの高さも順次高くなっていく。
【０００５】
よって、型枠上端付近の高所で作業員が安全に作業を進めるためには、型枠の上部に親綱支柱を設置し、この親綱支柱間に命綱を連結可能な親綱を取り付けることが求められる。
【０００６】
従来、この親綱支柱の設置は、内型枠を設置した後、親綱支柱をクレーンで吊り上げて設置位置まで揚重し、吊り上げた親綱支柱を固定具によって内型枠に固定していた。
【先行技術文献】
【特許文献】
【０００７】
【特許文献１】特開２０１４−４３６７８号公報
【発明の概要】
【発明が解決しようとする課題】
【０００８】
しかしながら、上述の如き従来の技術では、各段のコンクリートを構築する毎に内型枠とは別個に各親綱支柱をクレーンで吊り上げて設置しなければならないため、作業効率が悪いという問題があった。
【０００９】
一方、内型枠を地上で組み立てる際に予め親綱支柱を内型枠の上部に取り付けておくことも考えられるが、その場合には、内型枠をクレーンで吊り上げる際、取り付けた親綱支柱が吊り上げ用のワイヤと干渉して内型枠の揚重作業に支障を来すおそれがあり、実際には実現困難であった。
【００１０】
そこで、本発明は、このような従来の問題に鑑み、ケーソン等のコンクリート構造物の製作に使用する型枠の上部に容易且つ効率的に設置可能な親綱支柱等の安全具取付用支柱の提供を目的としてなされたものである。
【課題を解決するための手段】
【００１１】
上述の如き従来の問題を解決するための請求項1に記載の発明の特徴は、コンクリート構造物の構築に使用する型枠の上部に設置される安全具取付用支柱において、前記型枠に支持された角筒状の支持基部と、該支持基部内にスライド可能に挿入された支柱本体とを備え、前記支持基部は、互いに平行な側板の上端縁に一対の係合凹部を備え、前記支柱本体は、上端部外周に突設された安全具連結部材と、該安全具連結部材より下方の外周に突設されたロックピンとを備え、該ロックピンは、前記安全具連結部材と交差する方向に突出し、前記支柱本体を軸回りに回転させることにより、前記ロックピンが前記係合凹部と係合する位置と、係合しない位置とで切り替わるようにし、且つ、前記ロックピンが前記係合しない位置に切り替えられた際、前記安全具連結部材が前記支持基部の上縁部に係合するようにした安全具取付用支柱にある。
【００１２】
請求項２に記載の発明の特徴は、請求項１の構成に加え、前記安全具連結部材は、親綱の端部が連結可能なフック状又はリング状に形成されていることにある。
【００１３】
請求項３に記載の発明の特徴は、請求項１又は２の構成に加え、前記支持基部は、前記型枠を構成する型枠板を支持する型枠支柱であることにある。
【発明の効果】
【００１４】
本発明に係る安全具取付用支柱は、上述したように、コンクリート構造物の構築に使用する型枠の上部に設置される安全具取付用支柱において、前記型枠に支持された角筒状の支持基部と、該支持基部内にスライド可能に挿入された支柱本体とを備え、前記支持基部は、互いに平行な側板の上端縁に一対の係合凹部を備え、前記支柱本体は、上端部外周に突設された安全具連結部材と、該安全具連結部材より下方の外周に突設されたロックピンとを備え、該ロックピンは、前記安全具連結部材と交差する方向に突出し、前記支柱本体を軸回りに回転させることにより、前記ロックピンが前記係合凹部と係合する位置と、係合しない位置とで切り替わるようにし、且つ、前記ロックピンが前記係合しない位置に切り替えられた際、前記安全具連結部材が前記支持基部の上縁部に係合するようにしたことにより、収縮した状態で内型枠内に収容されるので、内型枠をクレーンによる４点以上の多点吊りによって揚重する場合であっても、吊り上げ用のワイヤと干渉することがなく、内型枠を安定した状態で揚重することができる。また、型枠と安全具取付用支柱とを別々に揚重する必要がなく、作業効率の向上を図ることができる。
【００１５】
また、本発明において、前記安全具連結部材は、親綱の端部が連結可能なフック状又はリング状に形成されていることにより、好適に親綱を取り付けることができる。
【００１６】
更に、本発明において、前記支持基部は、前記型枠を構成する型枠板を支持する型枠支柱であることにより、支持基部と型枠支柱を兼用することとによって、部材数の低減が図れ、経費を削減することができる。
【図面の簡単な説明】
【００１７】
【図１】本発明に係る安全具取付用支柱の使用態様の一例を示す平面図である。
【図２】図１中の安全具取付用支柱を示す側面図であって、（ａ）は使用時の状態、（ｂ）は収容した状態を示す図である。
【図３】（ａ）は同上の使用時の状態を示す平面図、（ｂ）は同収容時の状態を示す平面図である。
【図４】同上の安全具取付用支柱を備えたケーソン用内型枠の揚重時の状態を示す斜視図である。
【発明を実施するための形態】
【００１８】
次に、本発明に係る安全具取付用支柱１の実施態様を図１〜図４に示した実施例に基づいて説明する。尚、図中符号１は安全具取付用支柱、符号２は安全具取付用支柱１が設置される内型枠である。
【００１９】
内型枠２は、ケーソン等のコンクリート構造物を下層より段階的に構築する際に使用され、各段を構築する毎に地上で組み立てられ、クレーンによって下段のコンクリート打設部上に設置されるようになっている。
【００２０】
この内型枠２は、メタルフォーム等の型枠板３，３...からなる型枠パネル４を備え、各型枠パネル４が四方に配設されて桝形状を成している。
【００２１】
そして、この内型枠２には、その四隅部に安全具取付用支柱１が設置され、使用時には、安全具取付用支柱１を内型枠２上端より突出させ、支柱間に親綱５等の安全具が取り付けられるようにしている。
【００２２】
安全具取付用支柱１は、図２、図３に示すように、内型枠２に固定される角筒状の支持基部６と、支持基部６内にスライド可能に挿入された支柱本体７とを備え、支持基部６に対し支柱本体７をスライドさせることにより伸縮できるようになっている。
【００２３】
支持基部６は、両端が開口した角筒状に形成され、その互いに平行な側板６ａ，６ａの上端縁に一対の係合凹部８，８を備えている。
【００２４】
係合凹部８，８は、上側に開口した半円切り欠き状に形成され、後述するロックピン９，９が着脱可能に係合するようになっている。
【００２５】
また、支持基部６には、型枠に固定するための固定具１０を備え、この固定具１０を介して筒軸方向を上下に向けて内型枠２の内側に固定されている。
【００２６】
固定具１０は、特に限定されないが、本実施例では、支持基部６の外側面から突出した平板状に形成され、型枠板（メタルフォーム）のリブ部３ａ，３ａと重ね合わせた状態でボルト１１を貫通させ、ボルト締めすることにより型枠パネル４の背面側に固定できるようになっている。
【００２７】
支柱本体７は、鋼管等により中空円柱状に形成され、その上端外周に安全具連結部材１２が突設され、安全具連結部材１２より下方の外周にロックピン９，９が突設されている。
【００２８】
この支柱本体７は、外径が支持基部６の側板間幅よりも小さく、支持基部６に対して軸回りで回転可能に挿入されている。
【００２９】
安全具連結部材１２は、親綱５の端部が連結可能なフック状又はリング状に形成され、支柱本体７の外周から外向きに突出している。
【００３０】
ロックピン９，９は、溶接等によって支柱本体７の外周に突設され、両端間距離は、支持基部６の互いに平行な側板間距離よりも長く、且つ、支持基部６内側の対角線方向距離よりも短く形成されている。
【００３１】
よって、ロックピン９，９は、支持基部６の上端より引き出された位置で、支柱本体７を軸回りに回転させることにより、図３（ａ）に示す係合凹部８，８と係合可能な位置と、図３（ｂ）に示す係合しない位置、即ち、支持基部６内をスライド移動可能な位置とで切り替わるようになっている。
【００３２】
即ち、支柱本体７は、ロックピン９，９が係合凹部８，８と係合可能な位置に切り替えられた際には、ロックピン９，９を介して支持基部６に下降不能且つ回転不能に支持され、係合しない位置に切り替えられた際には、支持基部６に対し上下スライド自在な状態になっている。
【００３３】
また、ロックピン９，９は、支柱本体７の下端から一定高さに突設され、支柱本体７を使用時の位置、又は、ロックピン９，９が切り替え可能な位置まで引き出した場合であっても、支柱本体７の下側部は、支持基部６内に挿入され、支柱本体７が支持基部６に回転可能に保持されている。
【００３４】
一方、安全具連結部材１２は、図３（ｂ）に示すように、支持基部６に対し支柱本体７を軸回りに回転させ、ロックピン９，９が支持基部６と係合しない位置に切り替えられた場合、支持基部６の上縁部（本実施例では、支持基部６の四隅部上縁）と係合するようになっており、支持基部６より支柱本体７が抜け落ちないようになっている。
【００３５】
このように構成された安全具取付用支柱１は、内型枠２を地上で組み立てた際に、内型枠２に取り付けられ、図４に示すように、内型枠２とともにクレーンによって揚重されるようになっている。
【００３６】
その際、安全具取付用支柱１は、図２（ｂ）及び図３（ｂ）に示すように、支柱本体７の周方向位置を支持基部６の係合凹部８，８と係合しない位置に切り替えられ、支柱本体７の上側部がスライド可能な状態で支持基部６内に収容され、安全具連結部材１２が支持基部６の上端縁に支持される。
【００３７】
よって、安全具取付用支柱１は、収縮した状態で内型枠２内に収容され、内型枠２をクレーンによる４点以上の多点吊りによって揚重する場合であっても、吊り上げ用のワイヤ１０，１０...と干渉することがなく、内型枠２を安定した状態で揚重することができる。
【００３８】
一方、内型枠２の設置が完了したら、支柱本体７をロックピン９，９が支持基部６の上端開口より引き出されるまで引き上げ、図２（ａ）、図３（ａ）に示すように、その位置で支柱本体７を軸回りに回転させ、ロックピン９，９を係合凹部８，８に係合させる。
【００３９】
これによって、支柱本体７が内型枠２の上端より上向きに突出し、図１に示すように、支柱本体７の上端外周に突設された安全具連結部材１２に親綱５の端部を連結することによって、親綱５を支柱間に取り付けることができる。
【００４０】
そして、内型枠２の上端開口部を蓋板で閉鎖し、安全な足場が確保された場合には、親綱５を取り外すとともに、支柱本体７をロックピン９，９が係合凹部８，８と係合しない位置に回転させ内型枠２内に収納することによって、広い作業スペースを確保することもできる。
【００４１】
また、この安全具取付用支柱１は、内型枠２に取り付けられているので、内型枠２とともに撤去することができ、その際に支柱本体７を内型枠２内に収容しておくことによって、クレーンによる多点吊りの際にも支柱が吊りワイヤと干渉しないで安定して移動させることができる。
【００４２】
尚、上述の実施例では、安全具として親綱５を例に説明したが、安全具を鋼管等からなる手すり等にしてもよい。その場合、安全具取付部材をクランプ部材等の手すりの端部を固定可能なものとする。
【００４３】
また、上述の実施例では、安全具取付用支柱１を内型枠２の四隅部に設置した例について説明したが、支柱の取り付け位置は、これに限定されない。
【００４４】
更には、特に図示しないが、安全具取付用支柱１を構成する支持基部６は、内型枠２の型枠板３ａ，３ａ...を支持する型枠支柱を角筒材によって構成し、この型枠支柱を支持基部６に兼用してもよい。
【符号の説明】
【００４５】
１  安全具取付用支柱
２  内型枠
３  型枠板（メタルフォーム）
４  型枠パネル
５  親綱
６  支持基部
７  支柱本体
８  係合凹部
９  ロックピン
１０  固定具
１１  ボルト
１２  安全具連結部材
【図１】
2018025000.tif 000003
【図２】
2018025000.tif 000004
【図３】
2018025000.tif 000005
【図４】
2018025000.tif 000006